(57)【要約】      （修正有）【課題】指輪の内径をすばやく変化させることができ、装着及び取り外しに時間が掛からない上、指輪が指から簡単に抜け落ちることのない指輪を提供する。【解決手段】内周側を対向させた一対の円弧状部材１２，１３と、前記一対の円弧状部材の端部にそれぞれ設けた取付脚部１５と取付基部１６とを互いに回動自在に軸ピン２１で連結した軸着部１４とを備え、前記一対の円弧状部材の他端には互いに上下に重なり合うよう交差するデザイン部１７，１８が設けられ、前記一対の円弧状部材が閉じた位置において、容易に開放しない挟着力を軸着部に付与したことを特徴として指輪を形成する。【選択図】図２
0003164040.tif 000002
【実用新案登録請求の範囲】
【請求項１】
内周側を対向させた一対の円弧状部材と、前記一対の円弧状部材の端部にそれぞれ設けた取付脚部と取付基部とを互いに回動自在に軸ピンで連結した軸着部とを備え、
前記一対の円弧状部材の他端には互いに上下に重なり合うよう交差するデザイン部が設けられ、
前記一対の円弧状部材が閉じた位置において、容易に開放しない挟着力を前記取付脚部と取付基部との軸着部に付与したことを特徴とする指輪。
【請求項２】
前記取付基部の先端部分は、前記取付脚部の幅方向に向けてテーパ状に形成されており、該取付基部の先端部分のテーパ部分と、前記取付脚部の内面との係合部分にかかる負荷により、挟着力が長期間一定に保持されるようにしたことを特徴とする請求項１に記載の指輪。
【請求項３】
前記一対の円弧状部材の他端に互いに上下に重なり合うよう交差させた各デザイン部は、前記一対の円弧状部材が閉じた位置において重なり合った際に、一体化したモチーフとなるデザインが施されていることを特徴とする請求項１に記載の指輪。
【考案の詳細な説明】
【技術分野】
【０００１】
本考案は指輪に係り、特に、指の太さに応じて所定範囲で内径寸法を調節することが可能な指輪に関する。
【背景技術】
【０００２】
一般に、指輪を購入する際には通常、装着したい指の第１関節、第２関節を通って指の根元の部分を基準として指輪の号数が決定される。
【０００３】
ところで、上記従来の指輪では、号数に応じて指輪の内径が定められているため、指輪の内径は常に一定である。
このため、指の最も太い部分と比べて細い部分（例えば、第２関節と第３関節との間）に指輪を装着すると、指輪の内面と指との間に僅かな隙間が生じて指輪が回転してしまうという問題があった。
【０００４】
そこで、実開昭４９−３２９９６号公報（特許文献１参照）には、互いに食違い状に分割形成した指輪半片の基部内側に係合段部を設け、その基部内側に突設した軸支片間の凹陥部に指輪半片の軸支片間に螺状ばねを内装して挾着係合支持させ、支軸により弾発回勳自在に軸支してなる指輪の伸縮適合装置が提案されている。
【０００５】
また、実開昭５４−１５５７９１号公報（特許文献２参照）には、昆虫又は鳥類の羽根と同一又は類似形状の一対の羽根体を左右対称的に形成し、両羽根体が分離しないように接続し、かつ両羽根体を開閉自在に装着するとともに、両羽根体の裏面に湾曲形状のリング体の一端部を固着し、反対の端部を係合させたことを特徴とするスカーフ止めアクセサリー兼用指輪が提案されている。
【０００６】
特開２０１０−２２６９８号公報（特許文献３参照）の指輪には、リング状部材が左右に分割された円弧状の一対の円弧状部材２と，一対の円弧状部材の一側端部を互いに回動自在に連結する蝶番等とを備え，一対の円弧状部材の一側端部には，互いに同極の第一の磁石対が設けられ，一対の円弧状部材の他側端部には，互いに異極である第二の磁石対が設けられている。
【０００７】
実用新案登録第３０９０３７９号公報（特許文献４参照）には、リング径が調整可能な指輪の一種であって、二つの半リング体および半リング体から構成され、前記半リング体および前記半リング体の一端は可動関節構造により開閉可能に連結され、前記半リング体および前記半リング体の他端はリング径調整構造により連結され、それによって前記半リング体と前記半リング体とは固定のリング状に構成され、需要によってリングの径は調整可能であり、装着する人の指の太さに合わせることが可能であることを特徴とする指輪が提案されている。
【先行技術文献】
【特許文献】
【０００８】
【特許文献１】実開昭４９−３２９９６号公報
【特許文献２】実開昭５４−１５５７９１号公報
【特許文献３】特開２０１０−２２６９８号公報
【特許文献４】実用新案登録第３０９０３７９号公報
【考案の開示】
【考案が解決しようとする課題】
【０００９】
しかしながら、上記特許文献１の指輪では、螺状ばねで一対の指輪半片を閉じる方向に付勢しているが、一対の指輪半片が指に食い込んでしまうため、長時間の使用には無理がある。
これは上記特許文献２の指輪でも同様であり、一対の羽根体を閉じるためにスプリングを用いているため、長時間の使用には耐え得ない。
上記特許文献３の指輪では、一対の円弧状部材を閉じるために磁石対を用いており、したがって一対の円弧状部材をそのままでリングの径を調整することはできないため不便である。
上記特許文献４の指輪では、一対の半リング体を閉じるために弾性片とこれを収納して段階的に保持する中空端部を用いており、したがって弾性片が中空端部から外れてしまうと指輪が指から抜け落ちやすいという問題があった。
【００１０】
本考案の目的は、指輪の内径をすばやく変化させることができ、装着及び取り外しに時間が掛からない上、指輪が指から簡単に抜け落ちることのない指輪を提供することにある。
【課題を解決するための手段】
【００１１】
上記課題を解決するためにこの考案の指輪は、内周側を対向させた一対の円弧状部材と、前記一対の円弧状部材の端部にそれぞれ設けた取付脚部と取付基部とを互いに回動自在に軸ピンで連結した軸着部とを備え、
前記一対の円弧状部材の他端には互いに上下に重なり合うよう交差するデザイン部が設けられ、
前記一対の円弧状部材が閉じた位置において、容易に開放しない挟着力を前記取付脚部と取付基部との軸着部に付与したことを特徴とするものである。
【００１２】
本考案の指輪は、前記取付基部の先端部分は、前記取付脚部の幅方向に向けてテーパ状に形成されており、該取付基部の先端部分のテーパ部分と、前記取付脚部の内面との係合部分にかかる負荷により、挟着力が長期間一定に保持されるようにしたことをも特徴とするものである。
【００１３】
本考案の指輪は、前記一対の円弧状部材の他端に互いに上下に重なり合うよう交差させた各デザイン部は、前記一対の円弧状部材が閉じた位置において重なり合った際に、一体化したモチーフとなるデザインが施されていることをも特徴とするものである。
【００１４】
上記構成によれば、前記一対の円弧状部材が閉じた位置において、容易に開放しない挟着力を前記取付脚部と取付基部との軸着部に付与したので、一対の円弧状部材は開閉が可能であってこの考案の指輪を簡単に指へ装着することができ、しかも前記挟着力によって、従来のようなばね等を用いた場合に見られる指に食い込んで長時間の使用に耐えることができない、という問題が起きることがない。
【００１５】
また、指輪を指に装着したときには、前記挟着力の作用によって、指輪が指から簡単に抜け落ちることのない指輪となり、指にやさしく装着することができるとともに、指輪が指に確実に保持させることができるという非常に優れた作用効果を発揮させることができる。
【考案の効果】
【００１６】
本考案によれば、指輪を指に装着するとき、または指から取り外すときに、一対の円弧状部材の先端部が離れたり接近したりすることによって、指の太さに応じて指輪の内径をすばやく変化させることができ、その結果、装着及び取り外しに時間が掛からず、しかも指輪が指から簡単に抜け落ちることのない指輪を実現することができる。
【図面の簡単な説明】
【００１７】
【図１】本考案に係る指輪の斜視図である。
【図２】一対の円弧状部材を開いた状態の斜視図である。
【図３】本考案に係る指輪の要部構成を示す拡大断面図である。
【考案を実施するための形態】
【００１８】
以下、本考案の実施の形態を図面にしたがって詳細に説明する。
図１および図２に示すように、この考案における指輪１１は、内周側を対向させた一対の円弧状部材１２，１３と、前記一対の円弧状部材１２，１３の端部にそれぞれ設けた取付脚部１５と取付基部１６とを互いに回動自在に軸ピン２１で連結した軸着部１４とを備えている。
【００１９】
前記一対の円弧状部材１２，１３の他端には、互いに上下に重なり合うよう交差するデザイン部１７，１８がそれぞれ設けられており、該デザイン部１７，１８は適宜のモチーフのデザインが施され、例えばダイヤモンドその他の宝石を適宜配置しておくこともできる。
【００２０】
本考案の指輪は、前記一対の円弧状部材１２，１３の他端を互いに上下に重なり合うよう交差させた各デザイン部１７，１８とするとともに、前記一対の円弧状部材１２，１３が閉じた位置において重なり合った際に、前後や左右、あるいは一方のデザイン部の内部に他方のデザイン部が配置される等、一体化したモチーフとなるデザインを施しておくことが望ましい。
【００２１】
本考案の指輪１１は、前記一対の円弧状部材１２，１３が閉じた位置において容易に開放しない挟着力を前記取付脚部１５と取付基部１６との軸着部１４に付与してある。
すなわち、前記取付基部１６の先端部分は、前記取付脚部１５の幅方向に向けてテーパ状に形成されており、該取付基部１６の先端部分のテーパ部分２２と、前記取付脚部１５の内面との係合部分にかかる負荷により、常態において前記取付脚部１５は前記取付基部１６のテーパ部分２２の薄肉部分に沿うよう変形している。
【００２２】
したがって、前記一対の円弧状部材１２，１３を開こうとすると、前記取付脚部１５内に前記取付基部１６のテーパ部分２２の厚肉部分が押し込まれる形となって大きな抵抗が働き、前記一対の円弧状部材１２，１３は簡単には開くことがない。このように、前記軸着部１４に作用する挟着力は簡単には弱まることがなく、前記一対の円弧状部材１２，１３は閉じた位置において長期間一定の挟着力で保持されるようになるのである。
【００２３】
すなわち、前記一対の円弧状部材１２，１３が閉じた位置において、容易に開放しない挟着力を前記取付脚部１５と取付基部１６との軸着部１４に付与したので、一対の円弧状部材１２，１３は開閉が可能であってこの考案の指輪１１を簡単に指へ装着することができる。
【００２４】
また、指輪１１を指に装着したときには、前記挟着力の作用によって、指輪１１が指から簡単に抜け落ちることのない指輪となり、しかも従来のようなばね等を用いた場合に見られる指に食い込んで長時間の使用に耐えることができないという問題のない、指にやさしく装着することができ、かつ指輪１１を指に確実に保持させることができるという非常に優れた効果を備えたものである。
【００２５】
次に、本考案の指輪の作用について説明する。
まず、指輪１１を指に装着するとき、または指から取り外すときは、前記一対の円弧状部材１２，１３を開いた状態で指にはめ込めばよく、前記指輪１１を簡単に指へ装着することができる。
【００２６】
その後、前記一対の円弧状部材１２，１３に外側から圧力をかけて指に密着するまで閉じる。
そのようにして指輪１１を指に装着したときには、前記挟着力の作用によって指輪１１が指から簡単に抜け落ちることのない指輪となる。
【００２７】
その際、本考案の指輪は、前記一対の円弧状部材１２，１３の他端を互いに上下に重なり合うよう交差させた各デザイン部１７，１８としてあるので、前記一対の円弧状部材１２，１３が閉じた位置において重なり合った際に、前後や左右、あるいは一方のデザイン部の内部に他方のデザイン部が配置されて一体化したモチーフとなっていて、非常にデザイン性の高い指輪を提供することができる。
【産業上の利用可能性】
【００２８】
本考案は以上のように構成されているので、前記の実施例における指輪のみならず、ブレスレットやアンクレット、その他の装身具としても適用できることはいうまでもない。
【符号の説明】
【００２９】
１１  指輪
１２，１３  円弧状部材
１４  軸着部
１５  取付脚部
１６  取付基部
１７，１８  デザイン部
２１  軸ピン
２２  テーパ部分
【図１】
0003164040.tif 000003
【図２】
0003164040.tif 000004
【図３】
0003164040.tif 000005